(57)【要約】【課題】  画角が８０度以上のマスターレンズに装着し、その画角を１００度以上に拡大する高性能なワイドコンバーターレンズを提供すること。【解決手段】  マスターレンズＭの物体側に装着して用いられるワイドコンバーターレンズＣであって、物体側から順に、物体側に凸面を向けた第１負メニスカスレンズＬ１と、物体側に凸面を向けた第２負メニスカスレンズＬ２と、物体側に凸面を向けた正レンズＬ３とからなり、所定の条件を満足するワイドコンバーターレンズＣ。【選択図】  図１
2006084736.tif 000002
【特許請求の範囲】
【請求項１】
マスターレンズの物体側に装着して用いられるワイドコンバーターレンズであって、
物体側から順に、物体側に凸面を向けた第１負メニスカスレンズと、物体側に凸面を向けた第２負メニスカスレンズと、物体側に凸面を向けた正レンズとからなり、以下の条件を満足することを特徴とするワイドコンバーターレンズ。
1.81＜na
-0.75＜f12/f3＜-0.69
-2.8＜SF2＜-1.8
0.8＜SF3＜1.3
1＜d2/d4＜1.4
但し、
na：前記第1負メニスカスレンズと前記第２負メニスカスレンズのうち、屈折率の高い方のd線(波長λ=587.6nm)に対する屈折率、
f12：前記第１と第２負メニスカスレンズの合成焦点距離、
f3：前記正レンズの焦点距離、
SF2：前記第２負メニスカスレンズの形状因子、
SF3：前記正レンズの形状因子、
d2：前記第１負メニスカスレンズの像側面と、前記第２負メニスカスレンズレンズの物体側面との間の光軸上の距離、
d4：前記第２負メニスカスレンズの像側面と、前記正レンズの物体側面との間の光軸上の距離、
形状因子SFは、レンズの物体側面の曲率半径をr1、像側面の曲率半径をr2として、SF=(r2+r1)/(r2-r1)で表される。
【発明の詳細な説明】
【技術分野】
【０００１】
本発明は、デジタルカメラ等のマスターレンズの物体側に装着されるコンバーターレンズに関し、特にマスターレンズの焦点距離（画角）を、より短い焦点距離（広画角）に変更するワイドコンバーターレンズに関する。
【背景技術】
【０００２】
ＣＣＤをはじめとする固体撮像素子を利用したいわゆるデジタルスチルカメラやビデオカメラが、従来のフィルムカメラにかわって普及を見せている。これら固体撮像素子用のレンズは、従来のフィルムカメラのレンズに比べて画面サイズが小さいため、レンズの大きさが小さく、コンバーターレンズを装着しやすいという特徴をもっている。
【０００３】
この特徴を利用して、レンズの焦点距離（画角）を変化されるためのワイドコンバーターレンズが提案されている（例えば、特許文献１参照。）。
【特許文献１】特開平８−４３７３２号広報
【発明の開示】
【発明が解決しようとする課題】
【０００４】
しかしながら、特許文献１に開示されているワイドコンバーターレンズは装着されるマスターレンズの画角が４０度前後の標準レンズに取り付けることを前提としており、８０度以上の画角を有するマスターレンズに装着すると、画面周辺の結像性能が低下するという問題がある。
【０００５】
本発明は、上記問題に鑑みてなされたものであって、画角が８０度以上のマスターレンズに装着し、その画角を１００度以上に拡大する高性能なワイドコンバーターレンズを提供することを目的とする。
【課題を解決するための手段】
【０００６】
上記目的を達成するために、本発明は、マスターレンズの物体側に装着して用いられるワイドコンバーターレンズであって、物体側から順に、物体側に凸面を向けた第１負メニスカスレンズと、物体側に凸面を向けた第２負メニスカスレンズと、物体側に凸面を向けた正レンズとからなり、以下の条件式（１）から（５）を満足することを特徴とするワイドコンバーターレンズを提供する。
（１）  1.81＜na
（２）  -0.75＜f12/f3＜-0.69
（３）  -2.8＜SF2＜-1.8
（４）  0.8＜SF3＜1.3
（５）  1＜d2/d4＜1.4
但し、naは前記第1負メニスカスレンズと前記第２負メニスカスレンズのうち屈折率の高い方のd線(波長λ=587.6nm)に対する屈折率、f12は前記第１と第２負メニスカスレンズの合成焦点距離、f3は前記正レンズの焦点距離、SF2は前記第２負メニスカスレンズの形状因子、SF3は前記正レンズの形状因子、d2は前記第１負メニスカスレンズの像側面と前記第２負メニスカスレンズレンズの物体側面との間の光軸上の距離、d4は前記第２負メニスカスレンズの像側面と前記正レンズの物体側面との間の光軸上の距離をそれぞれ示す。ここで、形状因子SFは、レンズの物体側面の曲率半径をr1、像側面の曲率半径をr2として、SF=(r2+r1)/(r2-r1)で表される。
【発明の効果】
【０００７】
本発明によれば、画角が８０度以上のマスターレンズに装着し、その画角を１００度以上に拡大する高性能なワイドコンバーターレンズを提供することができる。
【発明を実施するための最良の形態】
【０００８】
以下、本発明の実施の形態に関し説明する。
【０００９】
本発明の実施の形態かかるワイドコンバーターレンズは、物体側から順に、物体側に凸面を向けた第１負メニスカスレンズと、物体側に凸面を向けた第２負メニスカスレンズと、物体側に凸面を向けた正レンズとから構成され、以下の条件式（１）から（５）を満足する。
（１）  1.81＜na
（２）  -0.75＜f12/f3＜-0.69
（３）  -2.8＜SF2＜-1.8
（４）  0.8＜SF3＜1.3
（５）  1＜d2/d4＜1.4
但し、naは第1負メニスカスレンズと第２負メニスカスレンズのうち屈折率の高い方のd線(波長λ=587.6nm)に対する屈折率、f12は第１負メニスカスレンズと第２負メニスカスレンズの合成焦点距離、f3は正レンズの焦点距離、SF2は第２負メニスカスレンズの形状因子、SF3は正レンズの形状因子、d2は第１負メニスカスレンズの像側面と前記第２負メニスカスレンズレンズの物体側面との間の光軸上の距離、d4は第２負メニスカスレンズの像側面と正レンズの物体側面との間の光軸上の距離をそれぞれ示す。ここで、形状因子SFは、レンズの物体側面の曲率半径をr1、像側面の曲率半径をr2として、SF=(r2+r1)/(r2-r1)で表される。
【００１０】
この様な構成により、マスターレンズに装着して１００度以上の広い画角にわたって良好な収差補正を達成することができる。
【００１１】
条件式（１）は、第１または第２負メニスカスレンズのうち、屈折率の高い方のレンズの屈折率を規定する。条件式（１）の下限値を超えると屈折率の高い方の負メニスカスレンズの曲率がきつくなりすぎるため、広い画角にわたる諸収差の補正が困難になる。
【００１２】
条件式（２）は、第１負メニスカスレンズと第２負メニスカスレンズの合成焦点距離と、正レンズの焦点距離の比率を規定している。条件式（２）の上限値を超えるとワイドコンバーターレンズの倍率を小さくするには有利であるが、像面の平坦性を保つことが困難になる。条件式（２）の下限値を超えると、ワイドコンバーターレンズの倍率が大きくなり、マスターレンズ装着時に広い画角を達成できない。
【００１３】
条件式（３）は、第２負メニスカスレンズの形状を規定するものである。条件式（３）の上限値を超えると広い画角にわたって非点収差を補正することが困難になる。条件式（３）の下限値を超えると像側面の曲率がきつくなりすぎて良好なコマ収差の補正が困難になる。
【００１４】
条件式（４）は、正レンズの形状を規定するものである。条件式（４）の上限値を超えると、第１及び第２負メニスカスレンズで発生する負の球面収差を補正することが困難になる。条件式（４）の下限値を超えると歪曲収差の補正には有利であるが、コマ収差、非点収差の良好な補正が困難となるため好ましくない。
【００１５】
条件式（５）は、第２負メニスカスレンズの光軸方向の位置を規定するものである。条件式（５）の上限値を超えると、ワイドコンバーターレンズの倍率を保つため、第１負メニスカスレンズの屈折力が過大となってしまうため、収差補正上好ましくない。条件式（５）の下限値を超えると、第１負メニスカスレンズと第２負メニスカスレンズとのレンズ間隔が狭すぎて、第１負メニスカスレンズの像側面が、第２負メニスカスレンズの物体側面と干渉するため、広い画角を得ることが出来なくなるため好ましくない。
【００１６】
（実施例）
以下、本発明の実施の形態にかかるワイドコンバーターレンズの各実施例について図面を参照しつつ説明する。
【００１７】
各実施例のワイドコンバーターレンズを説明する前に、各実施例のワイドコンバーターレンズを装着するマスターレンズのレンズ構成（図１を代表として用いる）と、諸元の値を以下の表に示す。
【００１８】
図１において、マスターレンズＭは広角ズームレンズであり、物体側より順に、物体側に凸面を向けた負メニスカスレンズと、両凹形状の負レンズと、物体側に凸面を向けた正メニスカスレンズとからなり負の屈折力を持つ第1レンズ群Ｇ１と、フレアストッパーＦＳと、開口絞りＳと、両凸形状の正レンズと、両凸形状の正レンズと両凹形状の負レンズとの接合レンズと、物体側に凸面を向けた負メニスカスレンズと両凸形状の正レンズとの接合レンズとからなり正の屈折力を持つ第２レンズ群Ｇ２と、両凸形状の正レンズと両凹形状の負レンズとの接合レンズとからなり正の屈折力を持つ第３レンズ群Ｇ３とを有し、第１レンズ群Ｇ１の負メニスカスレンズの像側面と、第２レンズ群Ｇ２の正レンズの物体側面と、第３レンズ群Ｇ３の正レンズの物体側面を非球面で構成し、第３レンズ群Ｇ３と像面Ｉとの間に、オプチカルローパスフィルタと、像面Ｉに配置された撮像素子のカバーガラスが配置されて構成されている。開口絞りＳは第２レンズ群Ｇ２と一体に移動する。
【００１９】
広角端状態から望遠端状態への変倍に際し、第３レンズ群Ｇ３は像面Ｉに対して固定され、第１レンズ群Ｇ１と第２レンズ群Ｇ２が移動し、遠距離物体から近距離物体への合焦は前記第３レンズ群Ｇ３を物体側に移動させることによって行う。
【００２０】
以下の各表において、「全体諸元」中、ｆは焦点距離、Ｂｆはバックフォーカス、ＦＮｏはＦナンバー、２Ａは画角（単位：度）、ｙは像高、ｍはコンバータ倍率をそれぞれ表す。「レンズデータ」中、左端の数字は物体側からのレンズ面の順序、ｒは曲率半径、ｄは面間隔、νｄ及びndはｄ線（波長λ＝５８７．６ｎｍ）に対するアッベ数及び屈折率をそれぞれ表している。なお、ｒ＝∞は平面を表している。「非球面データ」中の非球面は、光軸方向の面の深さをｘ、光軸と垂直方向の高さをｈ、基準球面の曲率半径（近軸曲率半径）をＲ、円錐係数をＫ、ｎ次の非球面係数をＣｎとして以下の式で表され、レンズデータ中に*印を付して表記した。
x＝(h2/R)/(1+(1-K*h2/R2)1/2) +C4×h4+C6×h6+C8×h8+C10×h10
データ中、例えば「Ｅ−ｎ」は「１０−ｎ」を示す。「可変間隔データ」中、ｆは焦点距離、D0は物体から第１レンズ群Ｇ１の最も物体側のレンズ面までの距離（撮影距離）、Ｂｆはバックフォーカスをそれぞれ示す。
【００２１】
なお、以下の全ての諸元値において、掲載されている焦点距離ｆ、曲率半径ｒ、面間隔ｄその他の長さ等は、特記の無い場合一般に「ｍｍ」が使われるが、光学系は比例拡大または比例縮小しても同等の光学性能が得られるので、これに限られるものではない。また、単位は「ｍｍ」に限定されること無く他の適当な単位を用いることもできる。さらに、これらの記号の説明は、以降の他の実施例においても同様とする。
【００２２】
なお、以下に示す各実施例のワイドコンバーターレンズを装着するマスターレンズはこれに限られるものではない。
【００２３】
（マスターレンズ諸元表）
「全体諸元」
f=6.28-21.00
Bf=0.99
FNo=2.68-5.14
2A=87.29-30.34
y=5.70
「レンズデータ」
r         d     νd      nd
1)   33.2600   2.2000  45.53 1.754000
* 2)    8.2752   6.4000        1.000000
3)  -36.5301   1.3000  81.61 1.497000
4)   16.3217   2.2000        1.000000
5)   21.4070   2.7000  32.35 1.850260
6)  372.1116    (D1)         1.000000
7)    ∞        (D2)         1.000000
8>    ∞       0.5000        1.000000
* 9)   10.2651   2.6000  59.10 1.583320
10)  -74.0767   0.6000        1.000000
11)   11.2830   3.0000  50.88 1.658440
12)  -13.8170   0.9000  39.59 1.804400
13)    7.5054   0.9000        1.000000
14)   30.6648   0.9000  37.95 1.723420
15)    8.3512   2.6000  81.61 1.497000
16)  -19.1954    (D3)         1.000000
*17)   15.4428   3.9000  57.44 1.606020
18)  -51.2130   1.0000  23.78 1.846660
19)  452.1588    (D4)         1.000000
20)    ∞       1.7200  64.20 1.516800
21)    ∞       0.7640        1.000000
22)    ∞       0.5000  64.20 1.516800
23)    ∞        (Bf)         1.000000
「非球面データ」
面   K         C 4          C 6          C 8          C10
2  0.3333  1.41260E-05  2.17950E-07  5.15730E-11  1.61800E-12
9  0.3833  1.69550E-06  1.45000E-07  5.86320E-09 -4.19770E-11
17  1.2219 -4.70030E-06 -1.53280E-07  1.02090E-08 -9.81410E-11
「可変間隔データ」
広角端状態    中間焦点距離状態    望遠端状態 
ｆ    6.28000           11.50000         21.00000
D0      ∞                ∞               ∞
D1   15.89963            0.34444          0.30000
D2   11.00000           11.00000          2.57862
D3    8.79701           17.27888         32.71522
D4    1.22320            1.22320          1.22320
Bf    0.99000            0.99000          0.99000
【００２４】
次に、上記マスターレンズＭに装着するワイドコンバーターレンズＣの各実施例について図面を参照しつつ説明する。
【００２５】
（第１実施例）
図１は、本発明の第１実施例にかかるワイドコンバーターレンズＣをマスターレンズＭに装着した状態のレンズ構成図である。
【００２６】
図１において、本第１実施例にかかるワイドコンバーターレンズＣは、物体側から順に、物体側に凸面を向けた負メニスカスレンズＬ１と、物体側に凸面を向けた負メニスカスレンズＬ２と、物体側に凸面を向けた正レンズＬ３とから構成されている。この様にマスターレンズＭの物体側に装着してマスターレンズＭとの合成焦点距離をより短い焦点距離に変更する。すなわち、本ワイドコンバーターレンズＣを装着した時には、マスターレンズＭの画角をより広い画角にすることができる。また、ワイドコンバーターレンズＣはマスターレンズＭの像面Ｉに対して固定されており、ワイドコンバーターレンズＣとマスターレンズＭの間の間隔が可変に構成されている。なお、コンバーターレンズＣがマスターレンズＭと一体に動くように構成することも可能である。
【００２７】
以下の表１に本第１実施例にかかるワイドコンバーターレンズの諸元の値を示す。表中、「可変間隔データ」は、ワイドコンバーターレンズＣを前述のマスターレンズＭに装着した際のマスターレンズＭの各可変間隔を示し、D0はワイドコンバーターレンズＣの正レンズＬ３の像側面からマスターレンズＭの最物体側のレンズ面までの距離である。なお、以下の各実施例においても同様とし説明を省略する。
【００２８】
（表１）
「全体諸元」
f=4.45-14.75
2A=111.74-42.84
m=0.71
「レンズデータ」
r         d     νd      nd
1)   54.5600   5.0000  46.63 1.816000  
2)   29.3444  12.5000        1.000000    
3)  118.0732   3.0000  46.63 1.816000  
4)   40.7564  11.0000        1.000000    
5)   33.2972   7.5000  36.26 1.620040  
6) 2800.1531    (D0)         1.000000    
「可変間隔データ」
広角端状態    中間焦点距離状態    望遠端状態 
ｆ     4.44914          8.11519          14.75047
D0     3.40000         10.47332           3.50281
D1    15.89963          0.34444           0.30000
D2    11.00000          11.00000          2.57862
D3     8.76379          17.16840         32.35339
D4     1.25642           1.33368          1.58503
Bf     0.99000           0.99000          0.99000
【００２９】
図２は、本第1実施例にかかるワイドコンバーターレンズＣをマスターレンズＭに装着した際の、広角端状態における諸収差図を示す。
【００３０】
各収差図において、ＦＮＯはＦナンバー、Ｙは像高、ｄはｄ線（λ=587.6nm）、ｇはｇ線（λ=435.8nm）、ＦはＦ線（λ=486.1nm）、CはC線（λ=656.3nm）を示しており、非点収差図において実線はサジタル像面、破線はメリディオナル像面をそれぞれ示している。なお、これらの記号の説明は、以降の他の実施例においても同様とし説明を省略する。
【００３１】
各収差図から、本第１実施例のワイドコンバーターレンズは、諸収差が良好に補正され、優れた結像性能を有していることが明らかである。
【００３２】
（第２実施例）
図３は、本発明の第２実施例にかかるワイドコンバーターレンズＣをマスターレンズＭに装着した状態のレンズ構成図である。
【００３３】
図３において、本第２実施例にかかるワイドコンバーターレンズＣは、物体側から順に、物体側に凸面を向けた負メニスカスレンズＬ１と、物体側に凸面を向けた負メニスカスレンズＬ２と、物体側に凸面を向けた正レンズＬ３とから構成されている。この様にマスターレンズＭの物体側に装着してマスターレンズＭとの合成焦点距離をより短い焦点距離に変更する。すなわち、本ワイドコンバーターレンズＣを装着した時には、マスターレンズＭの画角をより広い画角にすることができる。また、ワイドコンバーターレンズＣはマスターレンズＭの像面Ｉに対して固定されており、ワイドコンバーターレンズＣとマスターレンズＭの間の間隔が可変に構成されている。なお、ワイドコンバーターレンズＣがマスターレンズＭと一体に動くように構成することも可能である。
【００３４】
以下の表２に本第２実施例にかかるワイドコンバーターレンズの諸元の値を示す。
【００３５】
（表２）
「全体諸元」
f=4.71-15.59
2A=106.71-40.59
m=0.75
「レンズデータ」
r         d     νd      nd
1)   64.4593   4.8000  49.61 1.772500 
2)   32.8939  11.0000        1.000000    
3)   92.0221   3.8000  42.72 1.834810  
4)   40.9769  10.4000        1.000000    
5)   34.7532   8.0000  36.26 1.620040  
6)  676.2713    (D0)         1.000000    
「可変間隔データ」
広角端状態    中間焦点距離状態    望遠端状態 
ｆ     4.70688          8.58088          15.58816
D0     4.50000         11.57332           4.60281
D1    15.89963          0.34444           0.30000
D2    11.00000         11.00000           2.57862
D3     8.75946         17.15409          32.30745
D4     1.26075          1.34799           1.63097
Bf     0.99000          0.99000           0.99000
【００３６】
図４は、本第２実施例にかかるワイドコンバーターレンズＣをマスターレンズＭに装着した際の、広角端状態における諸収差図を示す。
【００３７】
各収差図から、本第２実施例のワイドコンバーターレンズは、諸収差が良好に補正され、優れた結像性能を有していることが明らかである。
【００３８】
（第３実施例）
図５は、本発明の第３実施例にかかるワイドコンバーターレンズＣをマスターレンズＭに装着した状態のレンズ構成図である。
【００３９】
図５において、本第３実施例にかかるワイドコンバーターレンズＣは、物体側から順に、物体側に凸面を向けた負メニスカスレンズＬ１と、物体側に凸面を向けた負メニスカスレンズＬ２と、物体側に凸面を向けた正レンズＬ３とから構成されている。マスターレンズＭの物体側に装着してマスターレンズＭとの合成焦点距離をより短い焦点距離に変更する。すなわち、本ワイドコンバーターレンズＣを装着した時には、マスターレンズＭの画角をより広い画角にすることができる。また、ワイドコンバーターレンズＣはマスターレンズＭの像面Ｉに対して固定されており、ワイドコンバーターレンズＣとマスターレンズＭの間の間隔が可変に構成されている。なお、ワイドコンバーターレンズＣがマスターレンズＭと一体に動くように構成することも可能である。
【００４０】
以下の表３に本第３実施例にかかるワイドコンバーターレンズの諸元の値を示す。
【００４１】
（表３）
「全体諸元」
f=4.71-15.56
2A=106.19-40.68
m=0.75
「レンズデータ」
r         d     νd      nd
1)   60.0322   4.0000  49.61 1.772500 
2)   33.0127   9.6000        1.000000    
3)   82.3771   3.2000  42.72 1.834810  
4)   30.5749   8.8000        1.000000    
5)   30.0628   9.8000  38.02 1.603420 
6) -740.9451    (D0)         1.000000    
「可変間隔データ」
広角端状態    中間焦点距離状態    望遠端状態 
ｆ     4.70659          8.57205          15.55595
D0     4.20000         11.27332           4.30281
D1    15.89963          0.34444           0.30000
D2    11.00000         11.00000           2.57862
D3     8.75124         17.12708          32.22123
D4     1.26897          1.37500           1.71719
Bf     0.99000          0.99000           0.99000
【００４２】
図６は、本第３実施例にかかるワイドコンバーターレンズＣをマスターレンズＭに装着した際の、広角端状態における諸収差図を示す。
【００４３】
各収差図から、本第３実施例のワイドコンバーターレンズは、諸収差が良好に補正され、優れた結像性能を有していることが明らかである。
【００４４】
（第４実施例）
図７は、本発明の第４実施例にかかるワイドコンバーターレンズＣをマスターレンズＭに装着した状態のレンズ構成図である。
【００４５】
図７において、本第４実施例にかかるワイドコンバーターレンズＣは、物体側から順に、物体側に凸面を向けた負メニスカスレンズＬ１と、物体側に凸面を向けた負メニスカスレンズＬ２と、物体側に凸面を向けた正レンズＬ３とから構成されている。この様にマスターレンズＭの物体側に装着してマスターレンズＭとの合成焦点距離をより短い焦点距離に変更する。すなわち、本ワイドコンバーターレンズＣを装着した時には、マスターレンズＭの画角をより広い画角にすることができる。また、ワイドコンバーターレンズＣはマスターレンズＭの像面Ｉに対して固定されており、ワイドコンバーターレンズＣとマスターレンズＭの間の間隔が可変に構成されている。なお、コンバーターレンズＣがマスターレンズＭと一体に動くように構成することも可能である。
【００４６】
以下の表４に本第４実施例にかかるワイドコンバーターレンズの諸元の値を示す。
【００４７】
（表４）
「全体諸元」
f=4.71-15.58
2A=106.15-40.56
m=0.75
「レンズデータ」
r         d     νd      nd
1)   58.9673   3.6000  42.72 1.834810 
2)   33.0518  13.0000        1.000000    
3)  140.2971   3.2000  81.61 1.497000  
4)   41.6849  10.0000        1.000000    
5)   40.9454   7.0000  38.02 1.603420  
6) 2838.1602    (D0)         1.000000    
「可変間隔データ」
広角端状態    中間焦点距離状態     望遠端状態 
ｆ     4.71088          8.58183           15.57749
D0     4.20000         11.27332            4.30281
D1    15.89963          0.34444            0.30000
D2    11.00000         11.00000            2.57862
D3     8.75319         17.13349           32.24163
D4     1.26702          1.36859            1.69679
Bf     0.99000          0.99000            0.99000
【００４８】
図８は、本第４実施例にかかるワイドコンバーターレンズＣをマスターレンズＭに装着した際の、広角端状態における諸収差図を示す。
【００４９】
各収差図から、本第４実施例のワイドコンバーターレンズは、諸収差が良好に補正され、優れた結像性能を有していることが明らかである。
【００５０】
以下の表５に各実施例の条件式対応値を掲げる。
【００５１】
（表５）
「条件式対応値」
第１実施例  第２実施例  第３実施例  第４実施例
（１）  na        1.816      1.835        1.835      1.835
（２）  f12/f3   -0.700     -0.738       -0.740     -0.733
（３）  SF2      -2.054     -2.606       -2.180     -1.845
（４）  SF3       1.024      1.108        0.922      1.029
（５）  d2/d4     1.136      1.058        1.091      1.300
【００５２】
なお、本発明の実施例の構成に付加レンズを加えただけのレンズ構成も本発明の効果を内在した同等のレンズであることは言うまでもない。
【００５３】
なお、上述の実施の形態は例に過ぎず、上述の構成や形状に限定されるものではなく、本発明の範囲内において適宜修正、変更が可能である。
【図面の簡単な説明】
【００５４】
【図１】本発明の第１実施例にかかるワイドコンバーターレンズＣをマスターレンズＭに装着した状態のレンズ構成図である。
【図２】本第1実施例にかかるワイドコンバーターレンズＣをマスターレンズＭに装着した際の、広角端状態における諸収差図を示す。
【図３】本発明の第２実施例にかかるワイドコンバーターレンズＣをマスターレンズＭに装着した状態のレンズ構成図である。
【図４】本第２実施例にかかるワイドコンバーターレンズＣをマスターレンズＭに装着した際の、広角端状態における諸収差図を示す。
【図５】本発明の第３実施例にかかるワイドコンバーターレンズＣをマスターレンズＭに装着した状態のレンズ構成図である。
【図６】本第３実施例にかかるワイドコンバーターレンズＣをマスターレンズＭに装着した際の、広角端状態における諸収差図を示す。
【図７】本発明の第４実施例にかかるワイドコンバーターレンズＣをマスターレンズＭに装着した状態のレンズ構成図である。
【図８】本第４実施例にかかるワイドコンバーターレンズＣをマスターレンズＭに装着した際の、広角端状態における諸収差図を示す。
【符号の説明】
【００５５】
Ｌｉ    第ｉレンズ
Ｇｉ    第ｉレンズ群
ＦＳ    フレアストッパー
Ｓ      開口絞り
ＬＰＦ  オプチカルローパスフィルタ
ＣＧ    カバーガラス
Ｉ      像面
Ｄ      撮像素子
Ｃ      ワイドコンバーターレンズ
Ｍ      マスターレンズ
【図１】
2006084736.tif 000003
【図２】
2006084736.tif 000004
【図３】
2006084736.tif 000005
【図４】
2006084736.tif 000006
【図５】
2006084736.tif 000007
【図６】
2006084736.tif 000008
【図７】
2006084736.tif 000009
【図８】
2006084736.tif 000010